(57)【要約】【課題】レンズ付きフイルムユニットにおいて、撮影モードの切り替え忘れを防止して常に正しい撮影モードで撮影する。【解決手段】モード切替えノブ８を操作して日中撮影モード又は室内撮影モードにセットすると、突起部６９ｄが凹部７２ｄ又は７２ｅに係合し、モード操作リング６９が第１又は第２操作位置にクリックストップされる。レリーズボタン９を押し下げると、シャッタ羽根により露光開口の開閉が行われると同時にレリーズボタン９の下面が受け部７８を押し、リセットレバー７６が反時計方向に回動する。クリックストップ板７２が下降位置から上昇位置に移動し、モード操作リング６９がコイルバネ７０の付勢力によりニュートラル位置に戻り、巻上げ阻止レバー８０の端部８０ａが外周歯１２ａに係合して巻上げダイヤル１２の巻上げ操作を阻止する。【選択図】        図１１
2006091740.tif 000002
【特許請求の範囲】
【請求項１】
未露光の写真フイルムが予め装填され、露光条件が異なる複数の撮影モードを有し、前記撮影モードのうちいずれかにセットして撮影を行うレンズ付きフイルムユニットにおいて、
前記撮影モードのいずれにもセットされず撮影が禁止されるＯＦＦモードを設け、シャッタレリーズ操作を行う毎に、前記撮影モードからＯＦＦモードに戻るとともに、このＯＦＦモードでは写真フイルムの巻上げ操作を阻止することを特徴とするレンズ付きフイルムユニット。
【請求項２】
未露光の写真フイルムが予め装填され、露光条件が異なる複数の撮影モードを有し、前記撮影モードのうちいずれかにセットするとともに巻上げダイヤルを操作してフイルム巻上げを行ってから撮影を行うレンズ付きフイルムユニットにおいて、
前記撮影モードの切替え操作に伴って前記撮影モードの各セット位置と前記撮影モードのいずれにもセットされないＯＦＦモードのセット位置との間で変位され、前記ＯＦＦモードのセット位置に向かって付勢されているモード操作部材と、
前記セット位置の各々でモード操作部材をクリックストップするストップ位置とクリックストップを解除するストップ解除位置との間で変位自在に設けられ、ストップ解除位置からストップ位置へ向かって付勢されたクリックストップ部材と、
シャッタレリーズ操作に応動してクリックストップ部材をストップ位置からストップ解除位置へ移動させることにより、前記モード操作部材を前記撮影モードの各セット位置からＯＦＦモードのセット位置に復帰させるリセット部材と、
前記モード操作部材に連動して変位され、前記モード操作部材がＯＦＦモードのセット位置にあるときに巻上げダイヤルに係合して巻上げ操作を禁止し、前記モード操作部材が撮影モードの各セット位置にあるときに巻上げダイヤルとの係合位置から退避して巻上げ操作を許容する巻上げ操作制御部材と、
を設けたことを特徴とするレンズ付きフイルムユニット。
【発明の詳細な説明】
【技術分野】
【０００１】
本発明は、複数の撮影モードを有するレンズ付きフイルムユニットに関するものである。
【背景技術】
【０００２】
未露光の写真フイルムが予め装填されたレンズ付きフイルムユニットが各種販売されている。このようなレンズ付きフイルムユニットには、日中屋外等の明るい場所での撮影に適した日中撮影モード（ストロボ発光せず）と、日中屋外での逆光撮影に適した日中シンクロ撮影モード（ストロボ発光あり）と、暗い室内での撮影や夜景撮影に適した夜間撮影モード（ストロボ発光あり）との３つの撮影モードを備えたものがある（特許文献１参照）。
【０００３】
前記レンズ付きフイルムユニットは、ＩＳＯ１６００の写真フイルムが用いられ、日中撮影モード及び日中シンクロ撮影モードでは、シャッタ速度が１／１２０秒に、絞り値がＦ１４に設定され、夜間撮影モードでは、シャッタ速度が１／４５秒に、絞り値がＦ６．２に設定される。これによれば、ＩＳＯ１００を基準としたＥＶ値での適正露出は、日中撮影モード及び日中シンクロ撮影モードがＥＶ１０．５、夜間撮影モードがＥＶ６．８となる。
【特許文献１】特開２００３−３４４９１４号公報
【発明の開示】
【発明が解決しようとする課題】
【０００４】
ところが、ユーザが夜間撮影モードにセットしたまま撮影モードを切り替えるのを忘れて日中晴天時の野外で撮影を行うと、極端な露光オーバー（約４ＥＶ（＝１０．５−６．８）の露光差）となって失敗するという問題があった。
【０００５】
本発明は上記問題を解消するためになされたもので、撮影モードの切り替え忘れを防止して常に正しい撮影モードで撮影できるレンズ付きフイルムユニットを提供することを目的とする。
【課題を解決するための手段】
【０００６】
本発明のレンズ付きフイルムユニットは、未露光の写真フイルムが予め装填され、露光条件が異なる複数の撮影モードを有し、前記撮影モードのうちいずれかにセットして撮影を行うレンズ付きフイルムユニットにおいて、前記撮影モードのいずれにもセットされず撮影が禁止されるＯＦＦモードを設け、シャッタレリーズ操作を行う毎に、前記撮影モードからＯＦＦモードに戻るとともに、このＯＦＦモードでは写真フイルムの巻上げ操作を阻止することを特徴とする。
【０００７】
また、未露光の写真フイルムが予め装填され、露光条件が異なる複数の撮影モードを有し、前記撮影モードのうちいずれかにセットするとともに巻上げダイヤルを操作してフイルム巻上げを行ってから撮影を行うレンズ付きフイルムユニットにおいて、前記撮影モードの切替え操作に伴って前記撮影モードの各セット位置と前記撮影モードのいずれにもセットされないＯＦＦモードのセット位置との間で変位され、前記ＯＦＦモードのセット位置に向かって付勢されているモード操作部材と、前記セット位置の各々でモード操作部材をクリックストップするストップ位置とクリックストップを解除するストップ解除位置との間で変位自在に設けられ、ストップ解除位置からストップ位置へ向かって付勢されたクリックストップ部材と、シャッタレリーズ操作に応動してクリックストップ部材をストップ位置からストップ解除位置へ移動させることにより、前記モード操作部材を前記撮影モードの各セット位置からＯＦＦモードのセット位置に復帰させるリセット部材と、前記モード操作部材に連動して変位され、前記モード操作部材がＯＦＦモードのセット位置にあるときに巻上げダイヤルに係合して巻上げ操作を禁止し、前記モード操作部材が撮影モードの各セット位置にあるときに巻上げダイヤルとの係合位置から退避して巻上げ操作を許容する巻上げ操作制御部材と、を設けたことを特徴とする。
【発明の効果】
【０００８】
本発明のレンズ付きフイルムユニットによれば、写真フイルムの巻上げ操作が禁止されるＯＦＦモードを設け、シャッタレリーズ操作を行う毎に撮影モードからＯＦＦモードに戻るようにしたので、撮影モードの切り替え忘れを防止して常に正しい撮影モードで撮影できる。
【０００９】
また、撮影モードの切替え操作に伴って撮影モードの各セット位置と撮影モードのいずれにもセットされないＯＦＦモードのセット位置との間で変位され、ＯＦＦモードのセット位置に向かって付勢されているモード操作部材と、前記セット位置の各々でモード操作部材をクリックストップするストップ位置とクリックストップを解除するストップ解除位置との間で変位自在に設けられ、ストップ解除位置からストップ位置へ向かって付勢されたクリックストップ部材と、シャッタレリーズ操作に応動してクリックストップ部材をストップ位置からストップ解除位置へ移動させることにより、モード操作部材を撮影モードの各セット位置からＯＦＦモードのセット位置に復帰させるリセット部材と、モード操作部材に連動して変位され、モード操作部材がＯＦＦモードのセット位置にあるときに巻上げダイヤルに係合して巻上げ操作を禁止し、モード操作部材が撮影モードの各セット位置にあるときに巻上げダイヤルとの係合位置から退避して巻上げ操作を許容する巻上げ操作制御部材とを設けたので、シャッタレリーズ操作を行う毎にモード操作部材が撮影モードのセット位置からＯＦＦモードのセット位置に復帰し、次にモード操作部材を撮影モードのセット位置に変位させなければ、巻上げ操作制御部材によって巻上げダイヤルの操作が阻止される。この結果、撮影モードの切り替え忘れを防止でき、常に正しい撮影モードで撮影できる。
【発明を実施するための最良の形態】
【００１０】
本発明を実施したレンズ付きフイルムユニットの外観を示す図１において、レンズ付きフイルムユニット２は、撮影機構が組み込まれたユニット本体３と、このユニット本体３の製造時に装填されたフイルムパトローネと、ユニット本体３の外周に巻き付けられるようにして貼着されるラベル４とからなる。ラベル４には、ユニット本体３の各部を露呈させるための開口が形成されている。なお、レンズ付きフイルムユニット２は、その場の光と影だけで雰囲気のある写真を撮影するためにＩＳＯ３２００の高感度フイルムを使用するとともに、ストロボ装置を搭載していない。
【００１１】
ユニット本体３の前面には、撮影レンズ５，ファインダ６，撮影モードを切り替える際に操作されるモード切替えノブ８が設けられている。また、ユニット本体３の上面には、レリーズボタン９，カウンタ表示窓１０が設けられ、背面には撮影後のフイルム巻き上げに用いられる巻上げダイヤル１２の一部が露呈されている。
【００１２】
前記モード切替えノブ８は、ユニット本体３の前面下方部に形成された円弧状のスリット状開口１３内で回動自在に設けられている。モード切替えノブ８は、ラベル４に印刷されたＯＦＦマーク１４で示されるニュートラル位置と、これより反時計方向に回動した晴天マーク１５で示される第１操作位置と、これより更に反時計方向に回動した家マーク１６で示される第２操作位置との間で回動される。
【００１３】
モード切替えノブ８をニュートラル位置に合わせると、撮影を禁止するＯＦＦモードになる。また、モード切替えノブ８を第１操作位置に合わせると、小絞り及び高速シャッタの日中撮影モードとなる。また、モード切替えノブ８を第２操作位置に合わせると、大絞り及び低速シャッタの室内撮影モードとなる。
【００１４】
ユニット本体３の構成を示す図２において、ユニット本体３は、１３５タイプのフイルムパトローネ２２が装填される本体基部２３と、撮影モードの切り替えを行うモード切替え機構２５と、本体基部２３の前面側及び背面側に取り付けられる前カバー２６及び後カバー２７とからなる。フイルムパトローネ２２は、パトローネ２２ａと、フイルム感度がＩＳＯ３２００の写真フイルム２２ｂとからなり、前述のように製造時に装填される。
【００１５】
本体基部２３の前面中央には、遮光筒３０が設けられている。この遮光筒３０の周囲には、シャッタチャージ機構，シャッタ機構，フイルム巻上げ機構，フイルム巻止機構，フイルムカウント機構，絞り切替え機構，シャッタ速度切替え機構，撮影光学系，ファインダ光学系等が組み込まれ、この前方部には、前記モード切替え機構２５が設けられている。
【００１６】
前記シャッタレリーズ機構，絞り切替え機構，シャッタ速度切替え機構，撮影光学系，モード切替え機構２５の構成を示す図３において、遮光筒３０の前面には、矩形状の露光開口３２が形成されている。遮光筒３０の側方には、シャッタ羽根３４を揺動自在に支持するピン３６と、バネ３８の一端が掛けられるピン４０とが設けられている。
【００１７】
シャッタ機構を構成するシャッタ羽根３４は、ピン３６に挿通される孔４２ａが形成されたベース部４２と、露光開口３２の前方に配置されて該露光開口３２の開閉を行う羽根部４４と、ベース部４２と羽根部４４とを接続する連結部４６とからなる。ベース部４２には、バネ３８の他端が掛けられるピン４２ｂと、シャッタ駆動レバー４８によって蹴飛ばされる突出部４２ｃと、速度調節突起４２ｄとが設けられている。シャッタ羽根３４は、バネ３８に付勢されて露光開口３２を塞ぐ閉じ位置に保持されている。
【００１８】
シャッタ駆動レバー４８は、シャッタ機構を構成する部品の一つであり、シャッタチャージ機構によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３４の突出部４２ｃを蹴飛ばす。
【００１９】
シャッタ駆動レバー４８に蹴飛ばされたシャッタ羽根３４は、バネ３８の付勢に抗して図中矢線Ｂ方向に回動し、露光開口３２を全開した後に、バネ３８の付勢によって閉じ位置に復帰する。シャッタ羽根３４は、露光開口３２を全開させる全開位置を経て、レンズホルダ５６の内面に設けられたストッパーピン５６ｂ（図４，図５参照）に当接する移動端位置に達するまで回動可能にされている。
【００２０】
レンズホルダ５６の上部には、ストップレバー４９を回動自在に支持するピン５０が形成されている。ストップレバー４９は、ピン５０に支持されるボス５１と、このボス５１の側面から突出された２本のアーム５２，５３とからなり、一方のアーム５２の先端にパッド５２ａが形成されている。このストップレバー４９は、パッド５２ａがシャッタ羽根３４の速度調節突起４２ｄの移動軌跡内に入り込んだ高速シャッタ位置と、パッド５２ａがその移動軌跡から退避した低速シャッタ位置との間で回動される。
【００２１】
図４に示すように、ストップレバー４９が高速シャッタ位置にあるときにシャッタレリーズが行われると、シャッタ羽根３４の速度調節突起４２ｄがパッド５２ａに当接するので、シャッタ羽根３４は全開位置から移動端位置への途中で回動が阻止される。これにより、短時間でシャッタ羽根３４が閉じ位置に復帰する。このときのシャッタ速度は１／１００秒としており、これが日中撮影モードの高速シャッタのシャッタ速度となる。
【００２２】
上記とは逆に、図５に示すように、ストップレバー４９が低速シャッタ位置にあるときには、速度調節突起４２ｄがパッド５２ａに当接しないで回動する。このため、シャッタ羽根３４は、移動端位置まで回動する。その結果、シャッタ羽根３４が閉じ位置に復帰するまでの時間が長くなって、シャッタ速度が遅くなる。このときのシャッタ速度は１／４５秒としており、これが室内撮影モードの低速シャッタのシャッタ速度となる。
【００２３】
図３に示されるように、遮光筒３０の前方には、レンズホルダ５６が取り付けられる。レンズホルダ５６の前面中央には、筒形状の鏡筒５７が形成されている。鏡筒５７内には、開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、大絞り板６２，絞り切替え板６３の挿入スペースを確保するスペーサー６４が収められる。
【００２４】
前記レンズホルダ５６の前面には、鏡筒５７に収められた撮影レンズ５等の部品と、鏡筒５７の外周に取り付けられた切替えリング６８とが外れないように押さえるレンズ押さえ板６５が取り付けられる。
【００２５】
前記レンズ押さえ板６５の前面には、第１レンズ６０を露呈する開口６６ａを有する筒状部６６が一体に形成され、この外周には、モード操作リング６９が中央部に形成された円形開口６９ａを介して回動自在に取り付けられる。モード操作リング６９の側方部には、切替えリング６８のピン６８ａが遊挿される孔６９ｂが形成され、モード操作リング６９と切替えリング６８とは一体に回動される。なお、図示していないが、モード操作リング６９が筒状部６６から外れないように押さえる押さえ部材が筒状部６６の前部に取り付けられている。
【００２６】
前記モード切替えノブ８の下方部には、突起６９ｃを介してコイルバネ７０が取り付けられ、このコイルバネ７０がモード操作リング６９を左方から引っ張っている。これにより、モード操作リング６９が常にニュートラル位置に復帰されるように付勢されている。なお、突起６９ｃに当接してモード操作リング６９をニュートラル位置に停止させるピン状のストッパ６５ｃがレンズ押さえ板６５に立設されている。
【００２７】
モード操作リング６９の上方には、モード操作リング６９をニュートラル位置，第１操作位置，第２操作位置のそれぞれにクリックストップするクリックストップ板７２が設けられている。このクリックストップ板７２は、一対の長孔７２ａ，７２ｂとピン６５ａ，６５ｂを介してレンズ押さえ板６５の前面に上昇位置と下降位置との間で斜め上下方向に移動自在に取り付けられ、左右端に設けられたコイルバネ７３，７４によりモード操作リング６９側へ付勢されている。
【００２８】
前記クリックストップ板７２の下方部は、モード操作リング６９の周縁に当接されるように円弧状に凹んだ形状をしており、モード操作リング６９の上方部に形成された突起部６９ｄが嵌まり込む３個の凹部７２ｃ，７２ｄ，７２ｅが形成されている。突起部６９ｄが、凹部７２ｃに嵌まり込むと、モード操作リング６９はニュートラル位置にクリックストップされ、凹部７２ｄに嵌まり込むと、第１操作位置にクリックストップされ、凹部７２ｅに嵌まり込むと、第２操作位置にクリックストップされる。
【００２９】
前記クリックストップ板７２の上方中央部には突起７２ｆが形成され、このレンズ押さえ板６５側の面にピン７２ｇが立設されている。このピン７２ｇは、リセットレバー７６の端部７６ａに形成された長孔７７に遊挿されている。リセットレバー７６は、長手方向のほぼ中央部に設けられた孔７６ｂがレンズ押さえ板６５のピン６５ｄに遊挿され、回動自在に設けられている。また、孔７６ｂを挟んでリセットレバー７６の端部７６ａと反対側の端部７６ｃには、リセットレバー７６の長手方向と直交する方向にへらのように細長くてうすい受け部７８が、レリーズボタン９の下方部に配置されるように突出形成されている。なお、リセットレバー７６の中間部に段差を設け、受け部７８の位置が長孔７７の位置よりも高くなるようにしてある。
【００３０】
レリーズボタン９の押下操作によってレリーズボタン９の下面で受け部７８が押されると、リセットレバー７６が回動孔７６ｂを中心に反時計方向に回動される。これにより、クリックストップ板７２がコイルバネ７３，７４の付勢に抗して斜め上方へ上昇し、突起部６９ｄと凹部７２ｃ，７２ｄ，７２ｅとの係合が解除される。この結果、モード操作リング６９は自由に回動可能となり、突起部６９ｄが凹部７２ｄ又は７２ｅに係合してクリックストップされていた場合には、コイルバネ７０の付勢力により時計方向に回動し、突起６９ｃがストッパ６５ｃに当接してニュートラル位置に戻る。レリーズボタン９の押下操作を止めると、クリックストップ板７２はコイルバネ７３，７４の付勢により下降位置に戻り、突起部６９ｄは凹部７２ｃに係合してクリックストップされる。
【００３１】
前記モード操作リング６９の側部には、アーム部６９ｅが突出形成されており、この端部にピン７５が立設されている。そして、モード操作リング６９の側方には、巻上げ操作制御部材としての巻上げ阻止レバー８０が回動自在に設けられ、この一端部８０ａ側に設けられたカム孔８１に、前記ピン７５が遊挿される。巻上げ阻止レバー８０の他端部８０ｂは刃形状をしており、巻上げ阻止レバー８０が反時計方向に回動すると、他端部８０ｂが巻上げダイヤル１２の外周歯１２ａに係合して巻上げダイヤル１２の巻上げ操作を阻止する。
【００３２】
前記モード切替え機構２５は、絞り切替え機構，シャッタ速度切替え機構，モード操作リング６９，クリックストップ板７２，リセットレバー７６，巻上げ阻止レバー８０等から構成される。絞り切替え機構は、大絞り板６２，絞り切替え板６３，スペーサー６４，切替えリング６８等により構成される。大絞り板６２は、円形の薄板からなり、中央に大径の絞り開口６２ａが形成されている。絞り開口６２ａは、室内撮影モードの大絞りとなるもので、絞り値がＦ４．０となるようにその径が決められている。
【００３３】
絞り切替え板６３は、く字形状の薄板からなり、一端に大絞り開口６２ａを塞ぐ大きさの小絞り部６３ａが設けられ、この小絞り部６３ａに小径の絞り開口６３ｂが形成されている。絞り開口６３ａは、日中撮影モードの小絞りとなるものであって、絞り値がＦ１８となるようにその径が決められている。絞り切替え板６３の他端には、孔６３ｃと屈曲された長孔６３ｄとが形成されている。孔６３ｃは、レンズホルダ５６の鏡筒５７の近傍に形成されたピン５６ａに挿通され、絞り切替え板６３を揺動自在とする。
【００３４】
上記の絞り切替え板６３は、小絞り部６３ａを撮影光軸上に配置する小絞り位置と、小絞り部６３ａを切欠５９から鏡筒５７の外に退避させ、大絞り開口６２ａを露呈させる大絞り位置との間で回動される。小絞り位置となると、撮影光は、大径の絞り開口６２ａと、小径の絞り開口６３ｂとを通過するようになり、結果的には径の小さい小絞り開口６３ｂによって光量が制限される。
【００３５】
切替えリング６８には、絞り切替え板６３の長孔６３ｄに挿入されるリンクピン６８ｂと、ストップレバー４９のアーム５３を間に挟み込む一対の挟持ピン６８ｃとが設けられている。
【００３６】
ＯＦＦモード時の切替えリング６８の状態を示す図６において、モード切替えノブ８がニュートラル位置にセットされたときには、リンクピン６８ｂによって絞り切替え板６３の小絞り部６３ａが鏡筒５７内に挿入される。これにより、小絞り部６３ａが大絞り開口６２ａを塞いで絞り値Ｆ１８の小絞り状態となる。また、一対の挟持ピン６８ｃは、ストップレバー４９を高速シャッタ位置に保持している。
【００３７】
日中撮影モード時の切替えリング６８の状態を示す図７において、モード切替えノブ８が第１操作位置にセットされたときには、リンクピン６８ｂが長孔６３ｂの中間位置になるが、絞り切替え板６３はＯＦＦモード時から回動されず、小絞り部６３ａが鏡筒５７内に挿入される。また、ストップレバー４９は、一対の挟持ピン６８ｃによってやや回動されるが、パッド５２ａを回動方向に大きいサイズにしているため、やはりＯＦＦモード時と同様に高速シャッタ位置に保持されている。
【００３８】
室内撮影モード時の切替えリング６８の状態を示す図８において、モード切替えノブ８が第１操作位置から第２操作位置へと回動されると、長孔６９ｂの縁でピン６８ａが押され、切替えリング６８が図中反時計方向に回動される。リンクピン６８ｂに押圧された絞り切替え板６３が図中時計方向に回動し、小絞り部６３ａが光軸上から退避して絞り値Ｆ４．０の大絞り状態となる。また、一対の挟持ピン６８ｃはストップレバー４９を低速シャッタ位置にセットする。
【００３９】
日中撮影モードでは、ＩＳＯ１００を基準としたＥＶ値で、適正ＥＶ値がＥＶ１０となっており、カラーネガタイプの写真フイルム２２ｂのラチチュードを考慮して＋５．５ＥＶ（露光オーバー）、−１．５ＥＶ（露光アンダー）の露光量の過不足を許容すると、ＥＶ８．５〜ＥＶ１５．５の範囲で撮影が行うことができる。室内撮影モードでは、ＩＳＯ１００を基準としたＥＶ値で、適正ＥＶ値がＥＶ４．５となっており、ラチチュードを考慮すると、ＥＶ３．０〜ＥＶ１０．０の範囲で撮影が行うことができ、ストロボ発光を用いずに暗い室内や夜間屋外での撮影ができる。
【００４０】
撮影レンズ５の焦点距離は、ピントの実質的な合致範囲を考慮して、撮影レンズ５を広角化して、大絞りの下でも適当な被写界深度を確保するのが好ましく、大絞りの絞り値をＦ２．８以上Ｆ８以下としたときに、焦点距離は２８ｍｍ以下、好ましくは１７ｍｍ以上２８ｍｍ以下とするのがよい。
【００４１】
本実施形態では、撮影レンズ５の焦点距離は、２６ｍｍとしており、室内撮影モードでの絞り値は前述のようにＦ４．０としている。撮影レンズ５は、被写体距離が２ｍの被写体にピントが合致するようにされており、実質的に日中撮影モードでは１ｍ〜無限遠の被写体に、室内撮影モードで１ｍ〜３ｍの被写体にピントが合うようになっている。
【００４２】
次に、上記実施形態の作用について説明する。図１に示すように、モード切替えノブ８がニュートラル位置にあるときには、図９に示すように、突起部６９ｄがクリックストップ板７２の凹部７２ｃに係合してクリックストップされている。このとき、巻上げ阻止レバー８０の端部８０ｂが外周歯１２ａに係合し、巻上げダイヤル１２の巻上げ操作を阻止している。また、図６に示すように、絞り切替え板６３が小絞り位置にセットされるとともに、ストップレバー４９が高速シャッタ位置にセットされている。
【００４３】
日中屋外等の明るい場所で撮影を行う場合には、図１に示されるニュートラル位置から、モード切替えノブ８を右方へ操作して晴天マーク１５で示される第１操作位置に合わせ、日中撮影モードを選択する。これにより、モード操作リング６９がニュートラル位置から反時計方向に回動すると同時にピン７５がカム孔８１の縁を押して巻上げ阻止レバー８０を時計方向に回動し、端部８０ｂが外周歯１２ａから外れ、巻上げダイヤル１２の巻上げ操作が許容される。そして、図１０に示すように、モード操作リング６９が第１操作位置に達すると、突起部６９ｄが凹部７２ｄに係合してクリックストップされる。また、図７に示すように、ＯＦＦモード時と同様に、絞り切替え板６３が小絞り位置にセットされるとともに、ストップレバー４９が高速シャッタ位置にセットされる。
【００４４】
この後、ユーザは、巻上げダイヤル１２を操作して写真フイルム２２ｂを１コマ分巻き上げる。この間に、シャッタ駆動レバー４８がチャージ位置にセットされる。ユーザがレリーズボタン９を押し下げると、これに応答してシャッタ羽根３４が閉じ位置から開き位置に向けて回動し、再び閉じ位置に戻る開閉動作が行われ、露光開口３２の開閉が行われる。このときに、図４に示すように、シャッタ羽根３４は、その速度調節突起４２ｄがパッド５２ａに当接し、移動端位置に達する前に閉じ位置に復帰する。これにより、１／１００秒のシャッタ速度で露光が行われる。
【００４５】
シャッタ羽根３４の開閉動作が行われている間に、撮影レンズ５に入射した被写体からの光は、絞り値Ｆ１８の小絞り開口６３ｂを通して写真フイルム２２ｂに露光を与える。この結果、シャッタ速度１／１００秒，絞り値Ｆ１８で露光が行われ、フイルム感度ＩＳＯ３２００の写真フイルム２２ｂに対する適正ＥＶ値がＥＶ１０となり、ＥＶ８．５〜ＥＶ１５．５の範囲で良好な撮影が行える。
【００４６】
また、図１１に示すように、前記レリーズボタン９の押下操作（二点鎖線で示す）に伴って、レリーズボタン９の下面で受け部７８が押されてリセットレバー７６が反時計方向に回動され、クリックストップ板７２がコイルバネ７３，７４の付勢に抗して図面の斜め左上方向に上昇する。これにより、凹部７２ｄから突起部６９ｄが外れ、モード操作リング６９はコイルバネ７０の付勢力により時計方向に回動し、突起６９ｃがストッパ６５ｃに当接してニュートラル位置に停止する。また、巻上げ阻止レバー８０が反時計方向に回動して端部８０ａが外周歯１２ａに係合し、巻上げダイヤル１２の巻上げ操作が阻止される。
【００４７】
次に、夜景や室内で人物等を撮影する場合には、図１に示されるニュートラル位置から、モード切替えノブ８を第２操作位置に回動し、室内撮影モードを選択する。これにより、図１２に示すように、モード操作リング６９がニュートラル位置から反時計方向に回動して、突起部６９ｄが凹部７２ｃから凹部７２ｄを経て凹部７２ｅに係合し、モード操作リング６９が第２操作位置にクリックストップされる。また、巻上げ阻止レバー８０の端部８０ｂが外周歯１２ａから外れ、巻上げダイヤル１２の巻上げ操作が許容されるから、ユーザは巻上げダイヤル１２を操作して写真フイルム２２ｂを１コマ分巻き上げる。
【００４８】
また、図５に示すように、絞り切替え板６３が大絞り位置にセットされるとともに、ストップレバー４９が低速シャッタ位置にセットされる。図８に示されるように、切替えリング６８の回動に連動して絞り切替え板６３が大絞り位置に回動し、小絞り部６３ａが撮影レンズ５の光路上から退避し、大絞り開口６２ａによって光量の規制が行われるようになる。また、ストップレバー４９は、低速シャッタ位置にセットされる。
【００４９】
レリーズボタン９を押し下げて撮影を行うと、ストップレバー４９が低速シャッタ位置にあるため、シャッタ羽根３４は、パッド５２ａに当接することなく回動し、移動端位置に達した後に閉じ位置に復帰する。また、このようにシャッタ羽根３４の開閉動作が行われている間に、撮影レンズ５に入射した被写体からの光は、大絞り開口６２ａを通って写真フイルムに露光を与える。
【００５０】
この結果、１／４５秒のシャッタ速度と絞り値Ｆ４．０とで露光が行われる。したがって、室内撮影モードでの適正ＥＶ値は、フイルム感度ＩＳＯ３２００の写真フイルム２２ｂに対してＥＶ４．５となり、ＥＶ３．０〜ＥＶ１０．０の範囲で良好な撮影が行える。また、ストロボ発光をさせていないので、室内の照明等のアベイラブル光を活かした撮影ができ、例えば背景と主要被写体との明るさや色合いに一体感がある自然な写真画像を得ることができる。
【００５１】
また、前記レリーズボタン９の押下操作に伴って、リセットレバー７６が反時計方向に回動されるから、クリックストップ板７２がコイルバネ７３，７４の付勢に抗して図１２に示す斜め左上方向へ上昇し、凹部７２ｄから突起部６９ｅが外れる。これにより、モード操作リング６９がコイルバネ７０の付勢力により時計方向に回動し、突起６９ｃがストッパ６５ｃに当接してニュートラル位置に戻る。これにより、巻上げ阻止レバー８０の端部８０ａが外周歯１２ａに係合して巻上げダイヤル１２の巻上げ操作が阻止される。
【００５２】
このように、レリーズ操作を行う度に、クリックストップ板７２によるモード操作リング６９のクリックストップが解除され、必ずモード操作リング６９がニュートラル位置に戻る。このため、次に撮影を行う際には、モード切替えノブ８を操作して第１操作位置又は第２操作位置のいずれかに合わせなければ、巻上げダイヤル１２の巻上げ操作を行うことができず、撮影を行うことができない。したがって、例えばユーザが室内撮影モードにセットしたまま撮影モードを切り替えるのを忘れて日中晴天時の野外で撮影を行うというような撮影モードの切り替え忘れを防止でき、常に正しい撮影モードで撮影することができる。
【００５３】
以上説明した実施形態では、撮影モードとして日中撮影モード，室内撮影モードの２種類を設けたが、本発明はこれに限定されることなく、更に、例えば絞りやシャッタ速度を日中撮影モードと室内撮影モードとの中間的なＥＶ値に対応させた夕方撮影モードを設けて３種類としてもよい。
【図面の簡単な説明】
【００５４】
【図１】レンズ付きフイルムユニットの外観を示す斜視図である。
【図２】レンズ付きフイルムユニットの構成を示す分解斜視図である。
【図３】モード切替え機構の構成を示す分解斜視図である。
【図４】ストッパーレバーの高速シャッタ位置でのシャッタレリーズを示す説明図である。
【図５】ストッパーレバーの低速シャッタ位置でのシャッタレリーズを示す説明図である。
【図６】絞り及びシャッタ速度切替え機構のＯＦＦモードでの状態を示す説明図である。
【図７】絞り及びシャッタ速度切替え機構の日中撮影モードでの状態を示す説明図である。
【図８】絞り及びシャッタ速度切替え機構の室内撮影モードでの状態を示す説明図である。
【図９】ＯＦＦモードでのリセットレバー，クリックストップ板，モード操作リング及び巻上げ阻止レバーの関係を示す説明図である。
【図１０】日中撮影モードでのリセットレバー，クリックストップ板，モード操作リング及び巻上げ阻止レバーの関係を示す説明図である。
【図１１】シャッタレリーズ操作を行った直後のリセットレバー，クリックストップ板，モード操作リング及び巻上げ阻止レバーの関係を示す説明図である。
【図１２】室内撮影モードでのリセットレバー，クリックストップ板，モード操作リング及び巻上げ阻止レバーの関係を示す説明図である。
【符号の説明】
【００５５】
２  レンズ付きフイルムユニット
８  モード切替えノブ
９  レリーズボタン
１２  巻上げダイヤル
２５  モード切替え機構
３４  シャッタ羽根
４９  ストップレバー
６２  大絞り板
６３  絞り切替え板
６５  レンズ押さえ板
６８  切替えリング
６９  モード操作リング
７２  クリックストップ板
７６  リセットレバー
８０  巻上げ阻止レバー
【図１】
2006091740.tif 000003
【図２】
2006091740.tif 000004
【図３】
2006091740.tif 000005
【図４】
2006091740.tif 000006
【図５】
2006091740.tif 000007
【図６】
2006091740.tif 000008
【図７】
2006091740.tif 000009
【図８】
2006091740.tif 000010
【図９】
2006091740.tif 000011
【図１０】
2006091740.tif 000012
【図１１】
2006091740.tif 000013
【図１２】
2006091740.tif 000014